(57)【要約】【課題】デジタルデータを再生することなく、このデジタルデータに基づく再生状態の良否を把握することができる記録装置を提供する。【解決手段】本発明の携帯通信端末１００は、デジタル放送波を受信し、デジタル放送波に基づくデジタルデータファイル７１を記録するものである。記録されたデジタルデータに基づく再生状態の良否を示す検出データ７２として、デジタル放送波に対する受信感度を検出する受信感度検出部２１１と、この検出データ７２を、デジタルデータと対応付けて第２メモリ１３に記録する受信感度記録部２１２とを備える。【選択図】図１
2009124509.tif 000002
【特許請求の範囲】
【請求項１】
デジタル放送波を受信し、該デジタル放送波に基づくデジタルデータを記録する記録装置であって、
上記記録されたデジタルデータに基づく再生状態に影響を与える情報を示す再生影響情報を上記受信したデジタル放送波に基づき取得する取得手段と、
上記取得手段によって取得された再生影響情報を、上記デジタルデータと対応付けて再生影響情報記憶装置に記録する記録手段とを備えることを特徴とする記録装置。
【請求項２】
上記記録されたデジタルデータに関する上記再生影響情報の出力指示を受付け、該出力指示に応じて、上記再生影響情報記憶装置から再生影響情報を読み出し、出力する出力手段を備えることを特徴とする請求項１に記載の記録装置。
【請求項３】
上記出力手段は、上記再生影響情報を、上記再生影響情報記憶装置において対応付けられているデジタルデータと関連付けて表示することを特徴とする請求項２に記載の記録装置。
【請求項４】
上記取得手段は、上記受信したデジタル放送波に対する受信感度を示す情報を、上記再生影響情報として取得することを特徴とする請求項１〜３のいずれか１項に記載の記録装置。
【請求項５】
上記取得手段は、上記デジタル放送波の復調状態を示す情報を、上記再生影響情報として取得することを特徴とする請求項１〜３のいずれか１項に記載の記録装置。
【請求項６】
上記受信したデジタル放送波に基づくデジタルデータにはコード化された映像データが含まれており、
上記取得手段は、上記コード化された映像データのデコード状態を示す情報を、上記再生影響情報として取得することを特徴とする請求項１〜３のいずれか１項に記載の記録装置。
【請求項７】
上記受信したデジタル放送波に基づくデジタルデータにはコード化された音声データが含まれており、
上記取得手段は、上記コード化された音声データのデコード状態を示す情報を、上記再生影響情報として取得することを特徴とする請求項１〜３のいずれか１項に記載の記録装置。
【請求項８】
デジタル放送波を受信し、該デジタル放送波に基づくデジタルデータを記録する記録装置の制御方法であって、
上記記録されたデジタルデータに基づく再生状態に影響を与える情報を示す再生影響情報を上記受信したデジタル放送波に基づき取得する第１ステップと、
上記第１ステップにおいて取得された再生影響情報を、上記デジタルデータと対応付けて再生影響情報記憶装置に記録する第２ステップとを含むことを特徴とする記録装置の制御方法。
【請求項９】
上記記録されたデジタルデータに関する上記再生影響情報の出力指示を受付け、該出力指示に応じて、上記再生影響情報記憶装置から再生影響情報を読み出し、出力する第３ステップを含むことを特徴とする請求項８に記載の記録装置の制御方法。
【請求項１０】
上記第３ステップでは、上記再生影響情報を、上記再生影響情報記憶装置において対応付けられているデジタルデータと関連付けて表示することを特徴とする請求項９に記載の記録装置。
【請求項１１】
上記第１ステップでは、上記受信したデジタル放送波に対する受信感度を示す情報を、上記再生影響情報として取得することを特徴とする請求項８〜１０のいずれか１項に記載の記録装置の制御方法。
【請求項１２】
上記第１ステップでは、上記デジタル放送波の復調状態を示す情報を、上記再生影響情報として取得することを特徴とする請求項８〜１０のいずれか１項に記載の記録装置の制御方法。
【請求項１３】
上記受信したデジタル放送波に基づくデジタルデータにはコード化された映像データが含まれており、
上記第１ステップでは、上記コード化された映像データのデコード状態を示す情報を、上記再生影響情報として取得することを特徴とする請求項８〜１０のいずれか１項に記載の記録装置の制御方法。
【請求項１４】
上記受信したデジタル放送波に基づくデジタルデータにはコード化された音声データが含まれており、
上記第１ステップでは、上記コード化された音声データのデコード状態を示す情報を、上記再生影響情報として取得することを特徴とする請求項８〜１０のいずれか１項に記載の記録装置の制御方法。
【発明の詳細な説明】
【技術分野】
【０００１】
本発明は、デジタル放送波を受信し、該デジタル放送波に基づくデジタルデータを記録する記録装置および記録装置の制御方法に関するものである。
【背景技術】
【０００２】
近年、デジタル放送波を受信できる受信部と、受信したデジタル放送波に基づく映像、音声、あるいはデータ放送を出力させる出力部と、該映像、音声またはデータ放送を記憶する記憶装置とを備えた、例えば携帯電話機等の携帯通信端末が開発されている。
【０００３】
上記携帯通信端末は、放送波を良好に受信できる場所では、映像、音声、あるいはデータ放送の出力状態は良好であり、またこれら映像、音声あるいはデータ放送を良好に再生できるように記憶することもできる。
【０００４】
しかしながら、上記携帯通信端末は、デジタル放送波を良好に受信できない環境下におかれ、映像、音声、あるいはデータ放送の再生結果が良好となるように記録することができない場合がある。すなわち、デジタル放送波を良好に受信できない環境下では、携帯通信端末は、例えば、映像の出力が停止したり、出力された映像においてブロックノイズが発生したりする。あるいは、音声の出力が停止したり、音声が不連続に出力したりする。また、文字情報等を提供するデータ放送では、データ放送コンテンツを出力できなかったり、出力までに時間を要したりする場合がある。
【０００５】
特に、携帯通信端末のように移動に伴い自装置を取り巻く環境が逐次変化する装置の場合、映像、音声、あるいはデータ放送の受信状態はその環境の変化に応じて変化することとなる。例えば、移動する車内に載置された場合、携帯通信端末における上記受信状態は、トンネルや建物などの外部要因の存在によって、刻一刻と変化する。また移動を伴わない、例えば駅のプラットフォームなどにおいても、携帯通信端末は、列車の通過等、外部要因の存在によって受信状態が刻一刻と変化する。
【０００６】
ところで上記携帯通信端末では、受信感度が所定の閾値を下回ると、デジタル放送波を受信できなくなる。しかしながら、デジタル放送波に基づくデジタルデータを記録している場合、デジタル放送波を良好に受信できない状態となっても、記録中止の操作が行われない限り、無駄に記録し続けることとなる。
【０００７】
そこで、特許文献１では、電波状態が悪いときに無駄に記録されたり、電力を消費されたりすることを防止するため、ストリーミングデータを記録する際、電界強度が一定時間以上低下すると、該データの記録を停止し、録画を中止する旨を告知する携帯無線端末が開示されている。
【特許文献１】特開２００６−８６６６７号公報（２００６年３月３０日公開）
【発明の開示】
【発明が解決しようとする課題】
【０００８】
しかしながら、上記従来の構成では、記録した、映像、音声あるいはデータ放送等のデジタルデータを再生することなく、このデジタルデータに基づく再生状態の良否を把握することができないという問題を生じる。
【０００９】
具体的には、上記従来の構成では、受信電波状況が悪化し映像データの記録を一時停止する場合、その直前に映像データをカットする旨を通知する情報をスーパーインポーズとして表示する構成である。このため、視聴中に映像データを記録する場合では、該映像データの受信電波状況が悪化し、その記録が一時停止されると、その停止されたことを知ることができる。しかしながら、視聴を伴わずに記録したデータを出力する場合、このデータを再生してみなければ、受信電波状況が悪化し該データの記録が一時停止されているか把握することができない。
【００１０】
本発明は、上記の問題点に鑑みてなされたものであり、その目的は、デジタルデータを再生することなく、このデジタルデータの再生状態の良否を把握することができる記録装置、および記録装置の制御方法を実現することにある。
【課題を解決するための手段】
【００１１】
本発明に係る記録装置は、上記した課題を解決するために、デジタル放送波を受信し、該デジタル放送波に基づくデジタルデータを記録する記録装置であって、上記記録されたデジタルデータに基づく再生状態に影響を与える情報を示す再生影響情報を上記受信したデジタル放送波に基づき取得する取得手段と、上記取得手段によって取得された再生影響情報を、上記デジタルデータと対応付けて再生影響情報記憶装置に記録する記録手段とを備えることを特徴とする。
【００１２】
上記した構成によれば、取得手段および記録手段を備えているため、記録したデジタルデータごとにその再生状態に影響を与える再生影響情報を示すことができる。このため、デジタルデータを再生することなく、このデジタルデータの再生状態の良否を把握することができるという効果を奏する。
【００１３】
本発明に係る記録装置は、上記した構成において、上記記録されたデジタルデータに関する上記再生影響情報の出力指示を受付け、該出力指示に応じて、上記再生影響情報記憶装置から再生影響情報を読み出し、出力する出力手段を備えるように構成されていてもよい。
【００１４】
上記した構成によると、上記出力手段により、上記デジタルデータとその再生影響情報とを出力させことができるため、記録されたデジタルデータに基づく再生状態の良否を通知することができる。
【００１５】
本発明に係る記録装置は、上記した構成において、上記出力手段は、上記再生影響情報を、上記再生影響情報記憶装置において対応付けられているデジタルデータと関連付けて表示するように構成されていてもよい。
【００１６】
上記した構成によると、出力手段が、デジタルデータと再生影響情報とを対応づけて表示させることができるため、デジタルデータごとにそのデジタルデータに基づく再生状態の良否を視覚的に通知することができる。
【００１７】
本発明に係る記録装置は、上記した構成において、上記取得手段は、上記受信したデジタル放送波に対する受信感度を示す情報を、上記再生影響情報として取得するように構成されていてもよい。
【００１８】
上記した構成によると、取得手段が、受信したデジタル放送波に対する受信感度を示す値を取得することができるため、デジタル放送波の受信状態を知ることができる。ところで、正常にデジタル放送波を受信できたか否かを示すデジタル放送波の受信結果から、記録したデジタルデータの再生状態が良好であるか否か判断することができる。
【００１９】
このように、本発明に係る記録装置では、デジタル放送波の受信状態を提示することができるため、各デジタルデータに基づく再生状態の良否を示すことができる。
【００２０】
本発明に係る記録装置は、上記した構成において、上記取得手段は、上記デジタル放送波の復調状態を示す情報を、上記再生影響情報として取得するように構成されていてもよい。
【００２１】
上記した構成によると、取得手段が、デジタル放送波の復調状態を示す情報を取得することができるため、受信したデジタル放送波を正常に復調できたか否か知ることができる。ところで、正常にデジタル放送波を復調できたか否かを示す復調結果から、記録したデジタルデータに基づく再生状態が良好となるか否か判断することができる。
【００２２】
このように、本発明に係る記録装置では、デジタル放送波の復調状態を提示することができるため、各デジタルデータに基づく再生状態の良否を示すことができる。
【００２３】
本発明に係る記録装置は、上記した構成において、上記受信したデジタル放送波に基づくデジタルデータにはコード化された映像データが含まれており、上記取得手段は、上記コード化された映像データのデコード状態を示す情報を、上記再生影響情報として取得するように構成されていてもよい。
【００２４】
上記した構成によると、取得手段が、上記コード化された映像データのデコード状態を示す情報を取得することができるため、受信したデジタル放送波に基づく映像データのデコード処理を正常に行うことができるか否か知ることができる。ところで、映像データのデコード処理を正常に行うことができるか否かを示す情報から、記録したデジタルデータに基づく再生状態、特には映像データに基づく再生状態が良好となるか否か判断することができる。
【００２５】
このように、本発明に係る記録装置では、映像データのデコード状態を提示することができるため、映像データを含む各デジタルデータに基づく再生状態の良否を示すことができる。
【００２６】
また、本発明に係る記録装置は、上記した構成において、上記受信したデジタル放送波に基づくデジタルデータにはコード化された音声データが含まれており、上記取得手段は、上記コード化された音声データのデコード状態を示す情報を、上記再生影響情報として取得するように構成されていてもよい。
【００２７】
上記した構成によると、取得手段が、上記コード化された音声データのデコード状態を示す情報を取得することができるため、受信したデジタル放送波に基づく音声データのデコード処理を正常に行うことができるか否か知ることができる。ところで、音声データのデコード処理を正常に行うことができるか否かを示す情報から、記録したデジタルデータに基づく再生状態、特には音声データに基づく再生状態が良好であるか否か判断することができる。
【００２８】
このように、本発明に係る記録装置では、音声データのデコード状態を提示することができるため、音声データを含む各デジタルデータに基づく再生状態の良否を示すことができる。
【００２９】
また、本発明に係る記録装置の制御方法は、上記した課題を解決するために、デジタル放送波を受信し、該デジタル放送波に基づくデジタルデータを記録する記録装置の制御方法であって、上記記録されたデジタルデータに基づく再生状態に影響を与える情報を示す再生影響情報を上記受信したデジタル放送波に基づき取得する第１ステップと、上記第１ステップにおいて取得された再生影響情報を、上記デジタルデータと対応付けて再生影響情報記憶装置に記録する第２ステップとを含むことを特徴とする。
【００３０】
上記した方法では、第１ステップおよび第２ステップを含むため、記録したデジタルデータごとにそのデジタルデータに基づく再生状態を示すことができる。このため、デジタルデータを再生することなく、このデジタルデータに基づく再生状態の良否を把握することができるという効果を奏する。
【００３１】
本発明に係る記録装置の制御方法は、上記した方法において、上記記録されたデジタルデータに関する上記再生影響情報の出力指示を受付け、該出力指示に応じて、上記再生影響情報記憶装置から再生影響情報を読み出し、出力する第３ステップを含んでもよい。
【００３２】
上記した方法では、上記第３ステップにより、上記デジタルデータとそのデジタルデータに基づく再生状態に影響を与える再生影響情報とを出力させことができるため、記録されたデジタルデータに基づく再生状態の良否を通知することができる。
【００３３】
本発明に係る記録装置の制御方法は、上記した方法において、上記第３ステップでは、上記再生影響情報を、上記再生影響情報記憶装置において対応付けられているデジタルデータと関連付けて表示してもよい。
【００３４】
上記した方法では、第３ステップにおいて、デジタルデータと再生影響情報とを対応づけて表示させることができるため、デジタルデータごとにその出力結果の良否を視覚的に通知することができる。
【００３５】
本発明に係る記録装置の制御方法は、上記した方法において、上記第１ステップでは、上記受信したデジタル放送波に対する受信感度を示す情報を、上記再生影響情報として取得してもよい。
【００３６】
上記した方法では、第１ステップにおいて、受信したデジタル放送波に対する受信感度を示す値を取得することができるため、デジタル放送波の受信状態を知ることができる。ところで、正常にデジタル放送波を受信できたか否かを示すデジタル放送波の受信結果から、記録したデジタルデータに基づく再生状態が良好であるか否か判断することができる。
【００３７】
このように、本発明に係る記録装置の制御方法では、デジタル放送波の受信結果の状態を提示することができるため、各デジタルデータに基づく再生状態の良否を示すことができる。
【００３８】
本発明に係る記録装置の制御方法は、上記した方法において、上記第１ステップでは、上記デジタル放送波の復調状態を示す情報を、上記再生影響情報として取得してもよい。
【００３９】
上記した方法では、第１ステップにおいて、デジタル放送波の復調状態を示す情報を取得することができるため、受信したデジタル放送波を正常に復調できたか否か知ることができる。ところで、正常にデジタル放送波を復調できたか否かを示す復調結果から、記録したデジタルデータに基づく再生状態を判断することができる。
【００４０】
このように、本発明に係る記録装置の制御方法では、デジタル放送波の復調状態を提示することができるため、各デジタルデータに基づく再生状態の良否を示すことができる。
【００４１】
本発明に係る記録装置の制御方法は、上記した方法において、上記受信したデジタル放送波に基づくデジタルデータにはコード化された映像データが含まれており、上記第１ステップでは、上記コード化された映像データのデコード状態を示す情報を、上記再生影響情報として取得してもよい。
【００４２】
上記した方法では、第１ステップにおいて、上記コード化された映像データのデコード状態を示す情報を取得することができるため、受信したデジタル放送波に基づく映像データのデコード処理を正常に行うことができるか否か知ることができる。ところで、映像データのデコード処理を正常に行うことができるか否かを示す情報から、記録したデジタルデータの再生状態、特には映像データの再生状態が良好であるか否か判断することができる。
【００４３】
このように、本発明に係る記録装置の制御方法では、映像データのデコード状態を提示することができるため、映像データを含む各デジタルデータに基づく再生状態の良否を示すことができる。
【００４４】
本発明に係る記録装置の制御方法は、上記した方法において、上記受信したデジタル放送波に基づくデジタルデータにはコード化された音声データが含まれており、上記第１ステップでは、上記コード化された音声データのデコード状態を示す情報を、上記再生影響情報として取得してもよい。
【００４５】
上記した方法では、第１ステップにおいて、上記コード化された音声データのデコード状態を示す情報を取得することができるため、受信したデジタル放送波に基づく音声データのデコード処理を正常に行うことができるか否か知ることができる。ところで、音声データのデコード処理を正常に行うことができるか否かを示す情報から、記録したデジタルデータの再生状態、特には音声データの再生状態が良好であるか否か判断することができる。
【００４６】
このように、本発明に係る記録装置の制御方法では、音声データのデコード状態を提示することができるため、音声データを含む各デジタルデータの再生状態の良否を示すことができる。
【発明の効果】
【００４７】
本発明に係る記録装置は、以上のように、デジタル放送波を受信し、該デジタル放送波に基づくデジタルデータを記録する記録装置であって、上記記録されたデジタルデータに基づく再生状態に影響を与える情報を示す再生影響情報を上記受信したデジタル放送波に基づき取得する取得手段と、上記取得手段によって取得された再生影響情報を、上記デジタルデータと対応付けて再生影響情報記憶装置に記録する記録手段とを備えることを特徴とする。
【００４８】
このため、デジタルデータを再生することなく、このデジタルデータの再生状態の良否を把握することができるという効果を奏する。
【００４９】
また、本発明に係る記録装置の制御方法は、以上のように、デジタル放送波を受信し、該デジタル放送波に基づくデジタルデータを記録する記録装置の制御方法であって、上記記録されたデジタルデータに基づく再生状態に影響を与える情報を示す再生影響情報を上記受信したデジタル放送波に基づき取得する第１ステップと、上記第１ステップにおいて取得された再生影響情報を、上記デジタルデータと対応付けて再生影響情報記憶装置に記録する第２ステップとを含むことを特徴とする。
【００５０】
このため、デジタルデータを再生することなく、このデジタルデータに基づく再生状態の良否を把握することができるという効果を奏する。
【発明を実施するための最良の形態】
【００５１】
本発明の一実施形態について図１ないし図７に基づいて説明すると以下の通りである。すなわち、本実施の形態に係る携帯通信端末１００は、基地局を介して、他の携帯通信端末と通信を確立したり、通信ネットワークに接続し特定のＷＥＢサイト等にアクセスしたりすることができるものである。また、上記携帯通信端末１００は、ワンセグメント形式による地上デジタル放送の放送波を受信することもできる。
【００５２】
この携帯通信端末１００は、例えば、携帯電話機、ＰＤＡ（Personal Digital(Data) Assistants）等によって実現できる。
【００５３】
（携帯通信端末のハードウェア構成）
まず、本実施の形態に係る携帯通信端末１００のハードウェア構成について図２を参照して説明する。図２は本発明の実施形態を示すものであり、携帯通信端末１００のハードウェア構成を示すブロック図である。
【００５４】
図２に示すように、本実施の形態に係る携帯通信端末１００は、デジタル放送受信用アンテナ１、通信用アンテナ２、無線部３、信号処理部６、表示制御部７、スピーカ８、マイク９、表示部１０、操作部１１、第１メモリ１２、第２メモリ１３、主制御部１４、および音声出力制御部１５を備えてなる構成である。
【００５５】
ここで、第１メモリ１２は、バッファ的な役割を果たすものであり、例えば、ＲＡＭ（random access memory）等によって実現される。また、第２メモリ１３は、恒久的にデータを蓄積する役割を果たすものであり、例えば、フラッシュメモリ等によって実現できる。なお、携帯通信端末１００の記憶装置である第１メモリ１２および第２メモリ１３は、携帯通信端末１００の仕様に応じて構成を適宜変更可能であり、例えば、一体として設けてもよい。
【００５６】
このように各部を備える携帯通信端末１００は、以下に示すような、通話機能、デジタル放送再生機能、および記録機能などを実現することができる。
【００５７】
まず、携帯通信端末１００では、無線部３が備える通信制御部５による送受信制御のもとに、通信用アンテナ２を介して基地局（不図示）との信号の送受信を行う。そして、信号処理部６が通信制御部５で送受信される信号に所定の信号処理を施し、音声出力制御部１５に送信する。音声出力制御部１５は、信号処理部６から受信した信号に基づき音声を生成しスピーカ８から出力させたり、マイク９から入力される音声を電気信号に変換し信号処理部６に送信したりする。
【００５８】
このように、携帯通信端末１００は、基地局を介して相手側装置から送信されてくる音声をスピーカ８から出力したり、マイク９から入力される音声を、基地局を介して相手側装置に送信したりする、いわゆる通話機能を実現する。
【００５９】
また、携帯通信端末１００では、無線部３が備えるデジタル放送受信部４による受信制御のもとに、デジタル放送受信用アンテナ１を介して、ワンセグ形式による地上デジタル放送の放送波を受信することもできる。デジタル放送受信部４は、地上デジタル放送の放送波を受信すると、これを復調する。そして、復調して得たデータを信号処理部６に出力する。信号処理部６では、多重化された各々の信号を出力信号群として再生し、映像信号またはデータ放送信号を表示制御部７に送信し、音声信号は音声出力制御部１５に渡しマイク９を介して出力する。
【００６０】
表示制御部７は、信号処理部６から受信した映像信号またはデータ放送信号に基づく表示を表示部１０において実行するよう制御するものである。なお、表示部１０は、ＬＣＤ（liquid crystal display）等によって実現することができる。
【００６１】
また、携帯通信端末１００は、上記した映像信号、音声信号、またはデータ放送信号を再生させるだけではなく、第２メモリ１３にデジタルデータファイル７１として記憶することもできる（デジタル放送記録機能）。
【００６２】
なお、携帯通信端末１００が有する機能は、上記した通話機能、デジタル放送再生機能、およびデジタル放送記録機能に限定されるものではない。例えば、撮像部を備え、該撮像部によって撮影を行うカメラ機能、電子メールやＷｅｂページなど、テキストデータ、画像データ、あるいはＨＴＭＬデータを送受信するメール機能など他の機能が備えられた構成であってもよい。
【００６３】
また、上記した無線部３、信号処理部６、表示制御部７、および音声出力制御部１５は、主制御部１４からの各種制御指示に応じて制御されている。
【００６４】
（デジタル放送再生機能に関する携帯通信端末の構成）
次に、携帯通信端末１００が有する上記デジタル放送再生機能に関する、該携帯通信端末１００のハードウェア構成について、上記した図２および図１を参照してより詳細に説明する。なお、この図１は、本発明の実施形態を示すものであり、デジタル放送再生機能に関する携帯通信端末１００の要部構成を示すブロック図である。
【００６５】
図１に示すように、上記デジタル放送受信部４は、チューナ２１および復調部２２を備えてなる構成である。上記復調部２２は、例えばＯＦＤＭ（Orthogonal Frequency Division Multiplexing)変復調方式により変調された放送信号を、チューナ２１を介して受信し復調するものである。復調部２２は、復調した放送信号を信号処理部６に送信する。
【００６６】
上記信号処理部６は、信号分離部２３、デジタル音声デコーダ部２５、デジタル映像デコーダ部２６を備えてなる構成である。
【００６７】
信号分離部２３は、復調部２２から入力された、デジタルデータである放送信号から必要な信号を分離し、映像データおよび音声データを含むデジタルデータファイル７１を作成し、主制御部１４に渡し、第２メモリ１３に記憶させるものである。なお、上記映像データおよび音声データを２つ以上に分割したパケットデータとして受信した場合には、誤り訂正符号などの制御情報をこの信号分離部２３により分離することで、携帯通信端末１００では、これら映像データおよび音声データ等の必要なデータを、受信した放送信号から抽出することができる。
【００６８】
また受信したデジタル放送信号から得られる映像データおよび音声データは、エンコードされたデジタル信号であり、本実施の形態に係る携帯通信端末１００では、このエンコードされた状態で、データ形式を変更することなくデジタルデータファイル７１として上記第２メモリ１３に記憶する。
【００６９】
本実施の形態に係る携帯通信端末１００では、上述のようにデータ形式を変更することなくデジタルデータファイル７１を記憶させる構成であるが、第２メモリ１３におけるメモリ消費の観点、デジタルデータファイル７１を読み出し再生する再生時の利便性等を考慮して、再エンコードして記憶する構成としてもよい。
【００７０】
また、上記第２メモリ１３では、上述したデジタルデータファイル７１以外に、検出データ７２、および出力様態データ７３がさらに記憶されている。
【００７１】
検出データ７２は、チューナ２１におけるデジタル放送波の受信感度を示すデータであり、主制御部１４の制御指示に応じてチューナ２１から取得される情報である。この検出データ７２は、チューナ２１から検出したデジタル放送波の受信感度を示す値に基づき生成される。なお、この検出データ７２の生成処理についての詳細は後述する。
【００７２】
出力様態データ７３は、上記検出データ７２を表示部１０に表示させる際に利用されるデータであり、検出データ７２の、表示部１０における表示形式を規定するものである。この出力様態データ７３は、第２メモリ１３において予め記憶されている。
【００７３】
主制御部１４は、上述したように携帯通信端末１００が有する各部の各種処理を制御するものであり、機能ブロックとして受信感度検出部２１１、受信感度記録部２１２、データ記録・読み取り部２１３、および記録状態出力部２１４を備えてなる構成である。これら、機能ブロックは例えば主制御部１４がＣＰＵ等によって実現できる場合、該ＣＰＵが第２メモリ１３に記憶された不図示のプログラムを第１メモリ１２に読み出し実行することにより実現される。
【００７４】
受信感度検出部２１１は、操作部１１から入力された指示に応じて、チューナ２１における受信感度を示す値として、受信入力電力を検出するものである。受信感度検出部２１１は、検出している受信感度が所定の閾値以下となるように変化した場合、その変化時点での受信感度の値を受信感度記録部２１２に渡す。
【００７５】
受信感度記録部２１２は、記録されたデジタルデータファイル７１と対応づけて、受信感度検出部２１１から受信した上記受信感度の値（検出データ７２）を第２メモリ１３に記憶するものである。
【００７６】
すなわち、上記受信感度検出部２１１は、デジタルデータファイル７１の記録期間において、受信感度を示す値を時系列に検出している。そして、この検出した受信感度が所定の閾値以下となるように変化した場合、受信感度記録部２１２が、この変化した時点での受信感度を検出データ７２として第２メモリ１３に記録する。
【００７７】
データ記録・読み取り部２１３は、信号分離部２３から受信したデジタルデータファイル７１を第２メモリ１３に記録したり、操作部１１からの指示に応じて第２メモリ１３から、記録されているデジタルデータファイル７１を読み出したりするものである。データ記録・読み取り部２１３は、読み出すデジタルデータファイル７１が音声データである場合、該デジタルデータファイル７１をデジタル音声デコーダ部２５に、映像データである場合、該デジタルデータファイル７１をデジタル映像デコーダ部２６に送信する。
【００７８】
記録状態出力部２１４は、操作部１１からの指示に応じて第２メモリ１３から検出データ７２および出力様態データ７３を読み出し、記録されているデジタルデータファイル７１の記録状態、すなわちデジタルデータファイル７１に基づく再生状態の良否を示すデータを作成するものである。記録状態出力部２１４は、作成した上記再生状態の良否を示すデータを、表示制御部７に送信するとともに、このデータの表示をこの表示制御部７に指示する。
【００７９】
（検出データ記録処理）
ここで、図３を参照して本実施の形態に係る携帯通信端末１００における受信したデジタル放送の受信状態、すなわち記録されたデジタルデータファイル７１に基づく再生状態を示す検出データ７２の記録処理（検出データ記録処理）の詳細について説明する。図３は、本発明の実施形態を示すものであり、検出データ記録処理の処理フローを示すフローチャートである。
【００８０】
まず、操作部１１が、デジタル放送の受信指示、および該デジタル放送の記録指示を受付ける。この際、受信するデジタル放送に関して検出データ記録処理の実行指示が指示されていない場合、つまり受信感度の状態監視を行う必要がない場合（Ｓ１１において「ＮＯ」の場合）、データ記録・読み取り部２１３が信号分離部２３から出力された映像データおよび音声データを受信する。そして、データ記録・読み取り部２１３がデジタルデータファイル７１として第２メモリ１３に記録する（Ｓ１５）。これにより記録処理が実行される。
【００８１】
一方、操作部１１において、検出データ記録処理の実行指示がなされている場合、つまり、受信感度の状態監視を行う必要がある場合（Ｓ１１において「ＹＥＳ」の場合）、デジタル放送の記録処理と並行して、該記録処理により記録されるデジタルデータファイル７１に関する受信感度の状態を受信感度検出部２１１が監視する（Ｓ１２）。
【００８２】
すなわち、操作部１１からデジタル放送の記録指示とともに検出データ記録処理の実行指示が入力されると、記録指示は、データ記録・読み取り部２１３に、一方、検出データ記録処理の実行指示は受信感度検出部２１１にそれぞれ入力される。
【００８３】
データ記録・読み取り部２１３は、操作部１１からの記録指示に応じて、信号分離部２３から出力された映像データおよび音声データを受信し、デジタルデータファイル７１として第２メモリ１３に記録する。
【００８４】
一方、受信感度検出部２１１は、操作部１１からの検出データ記録処理指示に応じて、チューナ２１における受信入力電力から受信感度の状態を監視する。ここで受信感度検出部２１１が、監視している受信感度の状態が所定の閾値以下に変化したと判断すると（Ｓ１３において「ＹＥＳ」）、変化した時点の監視結果（受信感度を示す値）を受信感度記録部２１２に通知する。受信感度記録部２１２は、変化した時点での受信感度を示す値を検出データ７２として第２メモリ１３に記録する。すなわち、デジタルデータファイル７１と検出データ７２とがそれぞれ互いに対応づけられて第２メモリ１３に記録される（Ｓ１４）。
【００８５】
以上のようにして本実施の形態に係る携帯通信端末１００では、検出データ７２を、デジタルデータファイル７１とともに対応づけて記録することができる。このため、記録したデジタルデータファイル７１の受信状態、すなわちデジタルデータファイル７１に基づく再生状態の良否を把握することができる。
【００８６】
（記録状態表示処理）
次に、図４を参照して本実施の形態に係る携帯通信端末１００における、記録したデジタルデータファイル７１の記録状態の表示を行う、記録状態表示処理について説明する。図４は、本発明の実施形態を示すものであり、携帯通信端末１００における記録状態表示処理の一例を示す図である。
【００８７】
操作部１１から、記録されたデジタルデータファイル７１に関する、記録状態を表示するように指示を受付けると、記録状態出力部２１４が、所望されるデジタルデータファイル７１の検出データ７２と出力様態データ７３とを第２メモリ１３から読み出す。そして、記録状態出力部２１４は、図４に示すように第２メモリ１３に記録されているデジタルデータファイル７１の一覧情報と、該一覧情報から指定されたデジタルデータファイル７１の記録状態を示すグラフと、指定されているデジタルデータファイル７１のファイル名、録画日時、記録時間を示す情報とがそれぞれ対応づけられ表示される表示データ（録画状態表示データ）を作成する。
【００８８】
そして、この録画状態表示データを表示制御部７に送信し、表示部１０で表示するように指示する。このようにして記録状態表示処理が実行される。
【００８９】
本実施の形態に係る携帯通信端末１００における表示部１０の表示画面にて表示される表示状態は、より具体的には、図４に示すように、デジタルデータファイル７１を示すアイコン３１ならびにデジタルデータファイル７１の選択状態を示すポインタ３２が表示される。そして、操作部１１を操作することで、このアイコン３１上をポインタ３２が移動して所望のデジタルデータファイル７１を特定することができる。
【００９０】
また、表示部１０の表示画面下部には、ユーザによって選択された、デジタルデータファイル７１の詳細情報として、ファイル名、記録開始日時、記録時間等が記録される。さらに、その詳細情報の下部にはデジタルデータファイル７１の記録区間における、デジタル放送波の受信感度状態３５を示すグラフが記録されている。そして、この受信感度が閾値以下か否かを示せるように、基準となる閾値と、上記受信感度状態３５を示すグラフとを重ねて表示するように構成されている。
【００９１】
なお、図４に示す実施例では、ユーザにより選択されたデジタルデータファイル７１は、２００７年９月１０日の２１時００分から、２時間１０分（１３０分）までの間に記録されたものである。受信感度状態３５は、当該デジタルデータファイル７１の記録区間で、受信感度状態３５が刻一刻と変動したことを示している。つまり、記録開始から５５分後（３５１）から９０分（３５２）までの区間、受信感度状態が悪化した、すなわちデジタルデータファイル７１の記録状態が不良であることを示している。
【００９２】
このように、デジタルデータファイル７１の記録と並行して、デジタル放送波の受信感度状態３５を記録し、記録したデジタルデータファイル７１と関連づけて表示を行うことで、ユーザは、デジタルデータファイル７１の再生に先立ちデジタルデータファイル７１を再生した際の状態を把握することができる。
【００９３】
すなわち、本実施の形態に係る携帯通信端末１００は、受信感度検出部２１１および受信感度記録部２１２を備えているため、取得した検出データ７２によって、記録したデジタルデータファイル７１ごとに、そのデジタルデータファイル７１に基づく再生状態の良否を示すことができる。このため、デジタルデータファイル７１を再生することなく、予めこのデジタルデータファイル７１に基づく再生状態の良否を把握することができる。
【００９４】
上記では、デジタルデータファイル７１の記録状態を、チューナ２１から検出した受信感度状態３５に基づき判定する構成であったが、デジタルデータファイル７１の記録状態の良否を示す情報はこれに限定されるものではない。
【００９５】
例えば、図５に示すように、図１に示す受信感度検出部２１１および受信感度記録部２１２の代わりに復調状態検出部２２１および復調状態記録部２２２を備え、チューナ２１から検出したデジタル放送波の受信感度状態３５の代わりに、復調部２２における放送データの復調状態で、デジタルデータファイル７１の記録状態の良否を把握させる構成とすることができる。図５は、本発明の別の実施例を示すものであり、デジタル放送再生機能に関する携帯通信端末１００の要部構成を示すブロック図である。また、図５において、図１に示す携帯通信端末１００と同じ部材には同じ符号を付しその説明を省略する。
【００９６】
なお、上記復調部２２における復調状態の良否は、復調部２２より出力されるデジタルデータ（放送信号）のストリームデータパケットの出力が連続して行われているか、断続的に行われているかにより示すことができる。より具体的には、上記復調状態の良否は、このストリームデータパケットの連続出力値が閾値以下にあるか否かによって示される。
【００９７】
図５に示すように構成される場合、本実施の形態に係る携帯通信端末１００は、復調状態検出部２２１が、デジタルデータファイルへの復調状態を示す情報を取得することができるため、受信したデジタル放送波を正常に復調できたか否か知ることができる。ところで、このデジタル放送波の復調結果から、記録されるデジタルデータファイル７１に基づく再生状態が良好であるか否か判断することができる。このように、本実施の形態に係る携帯通信端末１００では、デジタル放送波の復調状態を提示することができるため、各デジタルデータファイル７１に基づく再生状態の良否を示すことができる。
【００９８】
あるいは、本実施の形態に係る携帯通信端末１００は、デジタル映像デコーダ部２６におけるデコード状態に基づき、デジタルデータファイル７１の記録状態の良否を示す構成としてもよい。すなわち、図６に示すように、図１に示す受信感度検出部２１１および受信感度記録部２１２の代わりに映像デコード状態検出部２３１および映像デコード状態記録部２３２を備え、チューナ２１から検出したデジタル放送波の受信感度の代わりにデジタル映像デコーダ部２６における映像データのデコード状態で、デジタルデータファイル７１の記録状態を把握させる構成とすることができる。図６は、本発明の別の実施例を示すものであり、デジタル放送再生機能に関する携帯通信端末１００の要部構成を示すブロック図である。また、図６において、図１に示す携帯通信端末１００と同じ部材には同じ符号を付しその説明を省略する。
【００９９】
なお、デジタル映像デコーダ部２６における映像データのデコード状態の良否は、デコードに必要な映像データが不十分であり取得したデコード対象の一部のデータを破棄する頻度が所定の閾値以下であるか否かによって示すことができる。
【０１００】
このように、携帯通信端末１００が図６に示すように構成される場合、デジタルデータファイル７１の記録状態、特には、受信した放送データにおける映像データのデコード状態を、該映像データ（デジタルデータファイル７１）の記録状態としてデジタルデータファイル７１と対応づけて記録することができる。
【０１０１】
以上のように図６に示す携帯通信端末１００では、映像デコード状態検出部２３１が、上記コード化されたデジタルデータファイル（映像データ）７１のデコード状態を示す情報を取得することができるため、受信したデジタル放送波に基づくデジタルデータファイル７１のデコード処理を正常に行うことができるか否か知ることができる。
【０１０２】
ところで、映像データのデコード処理を正常に行うことができるか否かを示す情報から、記録したデジタルデータに基づく再生状態、特には映像データに基づく再生状態が良好であるか否か判断することができる。
【０１０３】
したがって、図６に示す携帯通信端末１００では、デジタルデータファイル（映像データ）７１のデコード状態を提示することができるため、映像データを含むデジタルデータファイル７１に基づく再生状態の良否を示すことができる。
【０１０４】
また、本実施の形態に係る携帯通信端末１００は、デジタル音声デコーダ部２５におけるデコード状態に基づき、デジタルデータファイル７１の記録状態の良否を示す構成としてもよい。すなわち、図７に示すように、図１に示す受信感度検出部２１１および受信感度記録部２１２の代わりに音声デコード状態検出部２４１および音声デコード状態記録部２４２を備え、チューナ２１から検出したデジタル放送波の受信感度の代わりにデジタル音声デコーダ部２５における音声データのデコード状態で、デジタルデータファイル７１の記録状態を把握させる構成とすることができる。図７は、本発明の別の実施例を示すものであり、デジタル放送再生機能に関する携帯通信端末１００の要部構成を示すブロック図である。また、図７において、図１に示す携帯通信端末１００と同じ部材には同じ符号を付しその説明を省略する。
【０１０５】
なお、デジタル音声デコーダ部２５における音声データのデコード状態の良否は、デコードに必要な映像データが不十分であり取得したデコード対象の一部のデータを破棄する頻度が、所定の閾値以下にあるか否かによって示すことができる。
【０１０６】
このように、携帯通信端末１００が図７に示すように構成される場合、デジタルデータファイル７１の記録状態、特には、受信した放送データにおける音声データのデコード状態を、該音声データ（デジタルデータファイル７１）の記録状態としてデジタルデータファイル７１と対応づけて記録することができる。
【０１０７】
すなわち、図７に示す携帯通信端末１００は、音声デコード状態検出部２４１が、上記コード化されたデジタルデータファイル（音声データ）７１のデコード状態を示す情報を取得することができるため、受信したデジタル放送波に基づくデジタルデータファイル（音声データ）７１のデコード処理を正常に行うことができるか否か知ることができる。ところで、音声データのデコード処理を正常に行うことができるか否かを示す情報から、記録したデジタルデータファイル７１の再生状態、特には音声データに基づく再生状態が良好であるか否か判断することができる。
【０１０８】
このように、図７に示す携帯通信端末１００では、音声データのデコード状態を提示することができるため、音声データを含むデジタルデータファイル７１に基づく再生状態の良否を示すことができる。
【０１０９】
また、上記では映像データまたは音声データのデコード状態をデジタルデータファイル７１の記録状態としてデジタルデータファイル７１と対応付けて記録する構成であったがこれに限定されるものではない。
【０１１０】
例えば、音声データのデコード状態と映像データのデコード状態との両方をデジタルデータがいる７１の記録状態としてデジタルデータファイル７１と対応づけて記録する構成であってもよい。
【０１１１】
なお、図１または図５に示した構成を有する携帯通信端末１００では、デジタルデータファイル７１を第２メモリ１３に記録している際に、受信した映像データおよび音声データ（放送データ）を表示部１０およびスピーカ８から出力してもよいし、出力しなくてもよい。
【０１１２】
同様に、図６または図７に示した構成を有する携帯通信端末１００も、デジタルデータファイル７１を第２メモリ１３に記録している際に、受信した映像データおよび音声データ（放送データ）を表示部１０およびスピーカ８から出力してもよいし、出力しなくてもよい。つまり、図６および図７に示した構成を有する携帯通信端末１００では、デジタル映像デコーダ部２６およびデジタル音声デコーダ部２５それぞれによって復号化された映像データおよび音声データは、必ずしも表示制御部７および音声出力制御部１５にそれぞれ送信され、表示部１０およびスピーカ８から出力される必要はない。
【０１１３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１４】
本実施の形態に係る携帯通信端末１は、記録したデジタルデータファイルの出力状態を、該デジタルデータファイルと対応づけて記録することができる。このため、デジタル放送波等のように、受信環境に応じて受信結果が異なるソースからデジタルデータファイルを記録する装置全般に適用できる。
【図面の簡単な説明】
【０１１５】
【図１】本発明の実施形態を示すものであり、デジタル放送再生機能に関する携帯通信端末の要部構成を示すブロック図である。
【図２】本発明の実施形態を示すものであり、携帯通信端末のハードウェア構成を示すブロック図である。
【図３】本発明の実施形態を示すものであり、検出データ記録処理の処理フローを示すフローチャートである。
【図４】本発明の実施形態を示すものであり、携帯通信端末における記録状態表示処理の一例を示す図である。
【図５】本発明の別の実施例を示すものであり、デジタル放送再生機能に関する携帯通信端末の要部構成を示すブロック図である。
【図６】本発明の別の実施例を示すものであり、デジタル放送再生機能に関する携帯通信端末の要部構成を示すブロック図である。
【図７】本発明の別の実施例を示すものであり、デジタル放送再生機能に関する携帯通信端末の要部構成を示すブロック図である。
【符号の説明】
【０１１６】
５  通信制御部
６  信号処理部
７  表示制御部
８  スピーカ
１０  表示部
１１  操作部
１３  第２メモリ（再生影響情報記憶装置）
１４  主制御部
１５  音声出力制御部
２１  チューナ
２２  復調部
２３  信号分離部
２５  デジタル音声デコーダ部
２６  デジタル映像デコーダ部
７１  デジタルデータファイル（デジタルデータ）
７２  検出データ（再生影響情報）
７３  出力様態データ
１００  携帯通信端末（記録装置）
２１１  受信感度検出部（取得手段）
２１２  受信感度記録部（記録手段）
２１４  記録状態出力部（出力手段）
２２１  復調状態検出部（取得手段）
２２２  復調状態記録部（記録手段）
２３１  映像デコード状態検出部（取得手段）
２３２  映像デコード状態記録部（記録手段）
２４１  音声デコード状態検出部（取得手段）
２４２  音声デコード状態記録部（記録手段）
【図１】
2009124509.tif 000003
【図２】
2009124509.tif 000004
【図３】
2009124509.tif 000005
【図４】
2009124509.tif 000006
【図５】
2009124509.tif 000007
【図６】
2009124509.tif 000008
【図７】
2009124509.tif 000009